(57)【要約】【課題】　炭による脱臭と滅菌などの作用により食味を高めることができ、玄米の貯蔵容量を大きくして使用が便利になるようにするとともに、製品サイズを小型にしながら騒音発生を最小に抑えることができる家庭用精米機を提供する。【解決手段】　本体２の上部のホッパー４に供給された玄米が、駆動モ一タ１２の駆動で回転する移送スクリュー８によって脱皮網６の内で移送されながら精米が行われ、精米された白米と米ぬかは各々その下方の取り箱１４，１６に落下するように構成された家庭用精米機において、移送スクリュー８は本体２のハウジングに軸受３４，３６を介して設置され、駆動モ一タ１２は本体２の内側底部に固設されて移送スクリュー８とベルト２０を介して連結され、本体２の前方の開放部は接触面に密閉リング４８，５０を有するよって開閉される。【選択図】　図２
2004090002.tif 000002
【特許請求の範囲】
【請求項１】
　本体の上部のホッパーに供給された玄米が、駆動モ一タの駆動で回転する移送スクリューによって脱皮網の内で移送されながら精米が行われ、精米された白米と米ぬかは各々その下方の取り箱に落下するように構成された家庭用精米機において、
　前記移送スクリューは前記本体のハウジングに軸受を介して設置され、前記駆動モ一タは前記本体の内側底部に固設されて前記移送スクリューとベルトで連結され、前記本体の前方の開放部は接触面に密閉リングを有するドアによって開閉されることを特徴とする家庭用精米機。
【請求項２】
　前記ドアは、上下に分離構成されて各々ヒンジで前記本体に結合され、前記ヒンジの反対側には弾性を有する係止片を設けて、この係止片が前記本体に設けられた係止溝に係止されることを特徴とする請求項１記載の家庭用精米機。
【請求項３】
　前記ホッパーの内壁に炭を設けたことを特徴とする請求項１記載の家庭用精米機。
【発明の詳細な説明】
【技術分野】
【０００１】
　本発明は家庭用精米機に関するものであり、詳しくは食味を高めるとともに、小型化を図りながら騒音発生を抑制できるようにした家庭用精米機に関するものである。
【背景技術】
【０００２】
　従来より、様々な家庭用精米機が提案されているが、これらのほとんどは、移送スクリューを回転させる駆動モ一タが移送スクリューの後方に直結されているため、精米機の製品長さが長くなることが避けられず、作製時の材料コストが高くなるとともに、設置空間を広く確保しなければならない。（特許文献１および特許文献２）。
【０００３】
　また、脱皮網の上部に設けられるホッパーは、移送スクリューと駆動モ一タが直結されるため貯蔵容量が小さく、精米するごとに玄米を供給しなければならないという不便さがあった。さらに、ホッパーは単にホッパーとしての機能、つまり玄米を収容して脱皮網に供給する機能しか有していなかった。
【０００４】
　また、駆動モ一タに直結される移送スクリューに、軸受を設けようとすると、その軸受の設置空間に対応して製品長さが長くなるだけでなく、形態的なアンバランスをもたらすため、軸受を設け難く、そのため、駆動時にかなりの騒音が発生していた。
【０００５】
　また、米ぬか取り箱と白米取り箱は精米機本体の前方から出し入れできるように単に挟設されているので、精米時に発生する大きな騒音が外部にそのまま伝達されていた。特に、家庭用精米機が住居空間内で使用されることを考慮すると、使用者だけでなく居住する家族全員に被害を与えることになるとともに、また朝食の準備のため利用する場合は、騒音で就寝中の家族を起こすことになるので、利用する上で大きな制約が生じるなどの問題があった。
【特許文献１】韓国実用新案登録第２２８８０５号明細書
【特許文献２】韓国実用新案登録第２２８８０７号明細書
【発明の開示】
【発明が解決しようとする課題】
【０００６】
　本発明は、前述した従来の問題点を解決するために、炭による脱臭と滅菌などの作用により食味を高めることができ、さらに玄米の貯蔵容量を多くして使用する際の便を図るとともに、製品の小型化を図りながら騒音の発生を可及的に抑えることができる家庭用精米機を提供することを目的としている。
【課題を解決するための手段】
【０００７】
　前述した目的を達成するために本発明は、移送スクリューは本体のハウジングに軸受を介して設置され、駆動モ一タは本体の内側底部に固設されて、移送スクリューとベルトで連結され、取り箱を出し入れする本体の前面開放部は密閉リングとロック手段を備えたドアにより開閉されることを特徴としている。
【発明の効果】
【０００８】
　本発明は、駆動モ一タが移送スクリューの軸芯からずれて配置されるとともに、移送スクリューが本体のハウジングに軸受を介して設けられることにより、騒音が減少されるとともに、精米機の長さを縮小することができる。また、これにより、コストの低減を図ることができ、設置空間を減少させることができる。
【０００９】
　また、駆動モ一タが移送スクリューの軸芯からずれて配置されると、その上部のホッパーは、その分さらに大きく形成できるため、玄米の貯蔵量が増えることになる。したがって、玄米を随時供給するという面倒さがなくなる。さらに、ホッパーの内面に装着される加工炭は、貯蔵された玄米の脱臭及び滅菌などの作用を行うので、食味を高めることができる。
【００１０】
　また、脱皮網の交替及び白米や米ぬかの取り箱を設けるための本体前方の開放部は、密閉リングとロック手段を有するドアで遮られるため、騒音を可及的に減少させることができる。
【発明を実施するための最良の形態】
【００１１】
　以下、添付した図１〜図４に基づいて、本発明に係る家庭用精米機の実施例について詳しく説明する。
【００１２】
　本発明の精米機は、本体２の内側上部に設けられるホッパー４と、ホッパー４の下側に設けられる脱皮網６と、脱皮網６内に挟設される移送スクリュー８と、移送スクリュー８とベルト１０によって連結される駆動モ一タ１２と、脱皮網６の下側に挟設される白米取り箱１４と米ぬか取り箱１６と、本体２の前方の開放部を開閉するドア１８、２０とから構成されている。
【００１３】
　ホッパー４は、内側底面を構成する傾斜面に数個の結合溝２２を形成して、各結合溝２２には硬質に加工された板状の加工炭２４を嵌挿する。
【００１４】
　脱皮網６は本体の前方から着脱自在に装着される一般的な構造で、その前方の出口は、分搗調節具２６に連結された開閉板２８が遮断するようになっており、脱皮網６の前方の白米ガイド３０は白米取り箱１４に向かうようにし、その底部の米ぬかガイド３２は米ぬか取り箱１６に向うように構成する。
【００１５】
　移送スクリュー８は、本体２のハウジングに二つの軸受３４、３６を介して設置され、軸受の後方へ突出された軸棒にはプーリを設ける。駆動モ一タ１２は、本体２の内側底部において取り箱１４、１６の後方に画成される空間内に固設され、移送スクリュー８とベルト１０で連結されている。
【００１６】
　本体２の前面の開放部を開閉するドア１８，２０は、上下に分離構成して各々本体２にヒンジ４０にて結合し、ヒンジ４０の反対側には、弾性を有する係止片４４を設けて、閉じるとき、本体２に設けられた係止溝に係止されるようにする。本体２と接触されるドア１８，２０の裏面には、装着溝を一回り形成して、その装着溝に密閉リング４８，５０を装着する。
【００１７】
　前記上下ドア１８，２０のうち上部ドア１８には、ヒンジ４０の隣に作動片５２を後方へ突設し、ドアを閉じたとき、作動片５２と対向する本体２には、駆動モ一タ１２と接続されたリミットスイッチ５４を設けて、ドア１８の開放時、電源を遮断して作動を停止する安全機能が設けられている。
【００１８】
　このように構成された本発明によれば、従来のようにホッパー４に玄米を供給し、スイッチ操作あるいはタイマーを用いて駆動モ一タ１２を駆動させると、移送スクリュー８の回転で玄米が脱皮網６の内方で移送されながら、その摩擦力によって米ぬか層の脱皮が行われる。ここで、脱皮網６の出口に設けられた開閉板２８を分搗調節具２６を介して操作することにより、脱皮網６内の玄米滞留時間を調節して適切な搗き具合の白米を得ることができる。
【００１９】
　したがって、家庭用精米機を構成するにおいて、移送スクリュー８を駆動モ一タ１２とベルト１０にて連結構成することによって、移送スクリュー８をハウジングに軸受３４、３６を介して設けることができるため、騒音が減るとともに、本体２の前後の長さをその分減らすことができる。
【００２０】
　また、移送スクリュー８を回転させる駆動モ一タ１２が移送スクリュー８の軸芯からずれて位置するため、その上部に設けられるホッパー４はその分さらに大きく形成できるので、貯蔵容量を増大させることができる。さらに、ホッパー４の内壁に設けられる炭２４は貯蔵された玄米の脱臭及び滅菌などの作用を有するので食味を高めることができる。
【００２１】
　さらに、本体２の前方に脱皮網６及び取り箱１４、１６の設置のために設けられる開放部は、ドア１８，２０が開閉されるが、このドア１８，２０は、押し引き動作で開閉される。また、本体２との接触面に密閉リング４８，５０が囲繞して配置され、かつ閉じたとき、ヒンジ４０の反対側に設けた弾性係止片４４が本体２の係止溝に係止されて閉じた状態を保つため、内部で発生した騒音が外部に漏れることを防止することができる。
【図面の簡単な説明】
【００２２】
【図１】図１は、本発明に係る家庭用精米機の斜視図である。
【図２】図２は、本発明に係る家庭用精米機の側断面図である。
【図３】図３は、本発明に係る家庭用精米機の一部切欠正面図である、
【図４】図４は、本発明に係る家庭用精米機を一部切欠平面図である。
【符号の説明】
【００２３】
２…本体
４…ホッパー
６…脱皮網
８…移送スクリュー
１２…駆動モータ
１４，１６…取り箱
１８，２０…ドア
２４…炭
２６…分搗調節具
２８…開閉板
３０、３２…ガイド
３４，３６…軸受
４０…ヒンジ
４４…係止片
４８，５０…密閉リング
５２…作動片
５４…リミットスイッチ
【図１】
2004090002.tif 000003
【図２】
2004090002.tif 000004
【図３】
2004090002.tif 000005
【図４】
2004090002.tif 000006